(57)【要約】【課題】天窓を簡単にしかも見栄え良く備え付けるようにした緑化勾配屋根を提供する。【解決手段】この緑化勾配屋根は、鋼板下地材２０の上面に苔マット２１・・を取り付けてなる複数の植栽屋根材４・・を、勾配方向及び桁行方向に沿って略全体に亘って葺設した勾配屋根部１を備えている。そして、このような勾配屋根部１に対して、植栽屋根材４・・によって囲まれた屋根材非搭載部位６０を設けて、この屋根材非搭載部位６０に、天窓６１を設置している。【選択図】図６
2010053538.tif 000002
【特許請求の範囲】
【請求項１】
複数の植栽屋根材（４）・・を勾配方向及び桁行方向に沿って葺設した勾配屋根部（１）を備え、前記勾配屋根部（１）に、前記植栽屋根材（４）・・によって囲まれた屋根材非搭載部位（６０）を設けて、この屋根材非搭載部位（６０）に、天窓（６１）を設置したことを特徴とする天窓を備えた緑化勾配屋根。
【請求項２】
前記植栽屋根材（４）・・は、鋼板下地材（２０）の上面に植栽マット（２１）・・を取り付けてなり、桁行方向に隣接する前記植栽屋根材（４）・・における植栽マット（２１）・・の勾配方向に沿った側端面同士を、互いに当接若しくは僅かな隙間をあけて対向配置するとともに、勾配方向に隣接する前記植栽屋根材（４）・・における植栽マット（２１）・・の上面同士を、互いに段差状に配置した請求項１記載の天窓を備えた緑化勾配屋根。
【請求項３】
前記植栽マット（２１）・・は、苔を植え付けた苔マットからなる請求項２記載の天窓を備えた緑化勾配屋根。
【請求項４】
前記天窓（６１）を、前記屋根材非搭載部位（６０）を囲む前記植栽屋根材（４）・・に対して隙間をあけて設置して、前記隙間に防水処理を施した請求項１乃至３のいずれかに記載の天窓を備えた緑化勾配屋根。
【請求項５】
前記屋根材非搭載部位（６０）の勾配方向に沿った両端部に、断面略コ字状又は断面略Ｌ字状のカバー材（８０）（８０）をそれぞれ取り付けて、これらカバー材（８０）（８０）によって形成された前記天窓（６１）とは反対側を向いて開放する溝部（８１）（８１）に、勾配方向に隣接する前記植栽屋根材（４）・・の勾配方向に沿った端部を差し入れるようにした請求項１乃至４のいずれかに記載の天窓を備えた緑化勾配屋根。
【請求項６】
前記勾配屋根部（１）の略全体に亘って前記植栽屋根材（４）・・を葺設した請求項１乃至５のいずれかに記載の天窓を備えた緑化勾配屋根。
【発明の詳細な説明】
【技術分野】
【０００１】
この発明は、植栽を施した勾配屋根部に天窓を備え付けるようにした緑化勾配屋根に関する。
【背景技術】
【０００２】
近年、都市部においては、建物自体や街並みの美観向上、居住者や近隣への癒し効果、建物内の温度環境の改善、ＣＯ２の削減やヒートアイランド現象の緩和等を目的として、建物の緑化対策が進められている。
【０００３】
この建物の緑化対策としては、建物の屋上面において植物を植栽した屋上緑化、建物の外壁面において植物を植栽した壁面緑化が一般的であり、また戸建て住宅の切妻屋根や寄棟屋根等の勾配屋根において、植栽を施して緑化したものも見受けられる（例えば、特許文献１参照）。
【特許文献１】特開２００２−３６４１３７号公報
【発明の開示】
【発明が解決しようとする課題】
【０００４】
従来より、戸建て住宅の勾配屋根として、採光や換気等を目的とした天窓を備え付けたものが知られている。ところが、上記のような緑化勾配屋根に対して天窓を備え付ける場合、設計の大幅な見直しが必要となったり、天窓と植栽部分とをうまく調和させることが困難で見栄えが悪くなったり、さらには成長した植物によって天窓が覆い隠されるといったような種々の問題が生じることになる。このため、緑化勾配屋根においては、天窓の採用に踏み切れていないのが現状である。
【０００５】
この発明は、上記不具合を解消して、天窓を簡単にしかも見栄え良く備え付けるようにした緑化勾配屋根の提供を目的とする。
【課題を解決するための手段】
【０００６】
上記課題を解決するため、この発明の緑化勾配屋根は、複数の植栽屋根材４・・を勾配方向及び桁行方向に沿って例えば略全体に亘って葺設した勾配屋根部１を備え、前記勾配屋根部１に、前記植栽屋根材４・・によって囲まれた屋根材非搭載部位６０を設けて、この屋根材非搭載部位６０に、天窓６１を設置したことを特徴とする。
【０００７】
具体的に、前記植栽屋根材４・・は、鋼板下地材２０の上面に例えば苔マット等の植栽マット２１・・を取り付けてなり、桁行方向に隣接する前記植栽屋根材４・・における植栽マット２１・・の勾配方向に沿った側端面同士を、互いに当接若しくは僅かな隙間をあけて対向配置するとともに、勾配方向に隣接する前記植栽屋根材４・・における植栽マット２１・・の上面同士を、互いに段差状に配置している。
【０００８】
また、前記天窓６１を、前記屋根材非搭載部位６０を囲む前記植栽屋根材４・・に対して隙間をあけて設置して、前記隙間に防水処理を施している。さらに、前記屋根材非搭載部位６０の勾配方向に沿った両端部に、断面略コ字状又は断面略Ｌ字状のカバー材８０、８０をそれぞれ取り付けて、これらカバー材８０、８０によって形成された前記天窓６１とは反対側を向いて開放する溝部８１、８１に、勾配方向に隣接する前記植栽屋根材４・・の勾配方向に沿った端部を差し入れるようにしている。
【発明の効果】
【０００９】
この発明の緑化勾配屋根においては、植栽屋根材を葺設することで緑化した勾配屋根部に対して天窓を設置していることから、一般的な瓦葺きの勾配屋根部と同様に天窓を備え付けることができ、例えば屋根下地面に土壌を敷き詰めて植栽を施した緑化勾配屋根に天窓を設置するときのような設計の大幅な見直しを不要とすることができる。しかも、植栽屋根材によって囲まれた屋根材非搭載部位に、天窓を設置していることから、天窓を取り囲むように植栽部分を配置させて、これらをうまく調和させた一体化したデザインとすることができ、見栄えを良好にすることができる。特に、桁行方向に隣接する植栽屋根材における植栽マットの勾配方向に沿った側端面同士を、互いに当接若しくは僅かな隙間をあけて対向配置するとともに、勾配方向に隣接する植栽屋根材における植栽マットの上面同士を、互いに段差状に配置するといったように、植栽屋根材を平瓦と同様に葺設することで、より一層簡単にしかも見栄え良く天窓を備え付けることができる。さらに、成長しても大きく伸び出ることのない苔を使用して緑化を行うことで、成長した植物によって天窓が覆い隠されることもない。これらのことから、天窓を弊害なく採用することができる。
【００１０】
また、防水処理を施しながら天窓を植栽屋根材に対して隙間をあけて設置することで、成長した植物によって天窓が覆い隠されるといったような不具合を確実に防止しながら、天窓周りから屋内への雨水の浸入、及び、屋根材非搭載部位を囲む植栽屋根材の下側への雨水の浸入を防止して、雨仕舞いを良好に維持することができる。特に、屋根材非搭載部位の勾配方向の両端部に沿って取り付けたカバー材の溝部に、勾配方向に隣接する植栽屋根材の勾配方向に沿った端部を差し入れることで、植栽屋根材の下側への雨水の横走りを確実に防止しながら、植栽屋根材の勾配方向に沿った端部を覆い隠して見栄えをより一層良好にすることができる。
【発明を実施するための最良の形態】
【００１１】
以下、この発明の実施形態を図面に基づいて詳細に説明する。この発明の一実施形態に係る緑化勾配屋根は、図１及び図２に示すように、切妻屋根であって、その棟を挟んだ一方（北側）の勾配屋根部１が緑化されていて、他方（南側）の勾配屋根部２は緑化されることなく太陽光発電のために利用されている。
【００１２】
一方の勾配屋根部１においては、その略全体に亘って複数の植栽屋根材４・・が葺設され、他方の勾配屋根部２においては、その略全体に亘って複数の一般屋根材５・・と複数の太陽電池一体型屋根材６・・とが組み合わされて葺設されている。
【００１３】
植栽屋根材４は、図３及び図４に示すように、鋼板下地材２０の上面に苔マット２１・・を取り付けることによって構成されている。苔は、空気中から水分や養分を摂取して生育するため、生育に際して土壌が不要であり、また水分が供給されない状態では仮死状態となり、雨水等が供給されると即座に再生するといったように乾燥に強い特性を有している。しかも、成長しても芝や蔓性植物のように大きく伸び出ることがない。このため、苔を使用した緑化においては、現場施工の省力化、屋根荷重の軽量化を図ることができるとともに、灌水、施肥、刈り込み等の施工後のメンテナンスをほとんど不要とすることができる。
【００１４】
鋼板下地材２０は、軽量な鋼板を折曲形成してなり、軒側に位置する植栽屋根材４の鋼板下地材２０に係合するための軒端部２２と、棟側に位置する植栽屋根材４の鋼板下地材２０に係合するための棟端部２３と、これら軒端部２２と棟端部２３を連結する苔マット設置部２４とを備えている。
【００１５】
苔マット設置部２４は、軒側先端が下向きにやや湾曲した略平板状に形成されていて、その勾配方向に沿った両側端においては側壁等が立ち上がっておらず開放した状態となっている。この苔マット設置部２４の裏面には、例えば合成樹脂製の発泡体からなる厚肉の断熱材２５が取り付けられている。この断熱材２５は、図５に示すように、鋼板下地材２０を屋根下地面３上に設置したときに、屋根下地面３と苔マット設置部２４の裏面との間の隙間を埋めるような形状となっている。なお、屋根下地面３は、野地板１０上にアスファルトルーフィング１１及びルーフテープ１２を敷設することによって構成された防水面である。
【００１６】
また、軒端部２２は、苔マット設置部２４の軒側先端から下向きに延びる垂下片２６と、この垂下片２６の下端を棟側に折り返してなる係合片２７とを備えている。棟端部２３は、苔マット設置部２４の棟側先端から棟側に延びる軒側開放の略Ｕ字形の係合溝片２８と、この係合溝片２８の先端を棟側に折り返してなる略Ｚ字形の固定片２９とを備えている。
【００１７】
苔マット２１は、例えば合成樹脂製の複数の線材を絡み合わせた網状体の空隙部分に紙や不織布等の苔定着材を充填してなる基盤部３０と、この基盤部３０に例えばスナゴケやハイゴケ等を植え付けてなる苔部３１とからなる。なお、苔マット２１としては、このような構造のものだけに限定されるものではなく、苔を植え付けたマット状のものであればどのような構造のものであっても良い。
【００１８】
このような苔マット２１・・は、鋼板下地材２０の苔マット設置部２４の略全面を覆うように、苔マット設置部２４上に横並びに設置され、その軒端部が鋼板下地材２０の軒端部２２に沿ってリベット３９・・止めした止付具４０によって保持された状態で、複数の固定リベット４１・・によって鋼板下地材２０の苔マット設置部２４の上面に固定されていて、例えば強風や激しい降雨、施工時やメンテナンス時の踏み付け等によって、苔マット２１・・がずれ動いて局部的に盛り上がったり、部分的にめくれ上がるといった不具合を防止している。
【００１９】
なお、鋼板下地材２０への苔マット２１・・の設置は、基本的には予め工場等で済ませておくが、現場施工に際しての足場の確保等から、勾配屋根部１の要所要所に設けられる植栽屋根材４・・においては、現場で設置することもある。
【００２０】
上記の植栽屋根材４・・の施工に際しては、それらの苔マット２１・・の勾配方向に沿った側端面同士を互いに当接若しくは僅かな隙間をあけて対向配置させながら、植栽屋根材４・・を桁行方向に沿って葺設するとともに、軒側に位置する植栽屋根材４・・の鋼板下地材２０・・における棟端部２３・・の係合溝片２８・・に、棟側に位置する植栽屋根材４・・の鋼板下地材２０・・における軒端部２２・・の係合片２７・・を係合して、それらの苔マット２１・・の上面同士を互いに段差状に配置させながら、植栽屋根材４・・を軒側から棟側に向かって勾配方向に葺設している。なお、各植栽屋根材４・・の鋼板下地材２０・・における棟端部２３・・の固定片２９・・を、屋根下地面３にビス４５・・止めすることによって、各植栽屋根材４・・が屋根下地面３に固定されている。
【００２１】
このように、一方の勾配屋根部１においては、平瓦を葺設するときと同様に植栽屋根材４・・が葺設されており、その植栽屋根材４・・の葺設後の形態も平瓦葺設後の形態と同様に、桁行方向に略平坦に連続しながら、勾配方向に段差状に配された状態となっている。
【００２２】
このようにして構成された緑化勾配屋根おいて、図６に示すように、緑化された一方の勾配屋根部１には、植栽屋根材４・・によって囲まれた屋根材非搭載部位６０が設けられ、この屋根材非搭載部位６０に、天窓６１が設置されている。
【００２３】
天窓６１は、方形枠状のフレーム６２にガラス板６３を嵌め込んでなる一般的な構造のもので、屋根材非搭載部位６０を囲む植栽屋根材４・・に対して隙間をあけるようにして、屋根下地面３を貫通した状態で取り付けられている。
【００２４】
そして、天窓６１周りの植栽屋根材４・・との間の隙間には、防水処理が施されている。具体的に、天窓６１の水上側すなわち棟側においては、図７に示すように、天窓６１のフレーム６２の棟側端部と、これに対向する植栽屋根材４の軒側端部とに跨るようにして、鋼板等からなる水上側の水切り材７１が天窓６１のフレーム６２にビス７２・・止めされている。さらに、植栽屋根材４の軒側端部に沿って、面戸材７３が充填されている。
【００２５】
また、天窓６１の水下側すなわち軒側においては、図８に示すように、天窓６１のフレーム６２の軒側端部と、これに対向する植栽屋根材４の棟側端部との間に、苔マット２１・・を取り付けていない鋼板下地板２０を、その軒端部２２を植栽屋根材４の鋼板下地材２０の棟端部２３に係合させるようにして介在させている。そして、この鋼板下地板２０の棟端部２３側を覆うようにして、鋼板等からなる水下側の水切り材７５が天窓６１のフレーム６２にビス７６・・止めされている。さらに、鋼板下地板２０の軒端部２２側に上方から被さるようにして、水下側の水切り材７５の軒側先端に鉛板７７がカシメ固定されている。
【００２６】
また、天窓６１の勾配方向に沿った両端部側においては、図９に示すように、天窓６１のフレーム６２の勾配方向に沿った両端部と、これに対向する植栽屋根材４・・の勾配方向に沿った端部とに跨るようにして、鋼板等からなる端部側の水切り材７８、７８が天窓６１のフレーム６２にそれぞれビス７９・・止めされている。また、屋根材非搭載部位６０の勾配方向に沿った両端部には、図６及び図９に示すように、断面略コ字状のカバー材８０、８０がそれぞれ取り付けられ、これらカバー材８０、８０の天窓６１とは反対側を向いて開放する溝部８１、８１に、植栽屋根材４・・の勾配方向に沿った端部が差し入れられている。カバー材８０、８０の溝部８１、８１には、樹脂発泡体からなる水密材８２、８２が取り付けられていて、これら水密材８２、８２が植栽屋根材４・・の勾配方向に沿った端部に押し付けられた状態となっている。カバー材８０、８０の棟側端部及び軒側端部には、水密材８２、８２の棟側端部及び軒側端部を覆う図示しない蓋片が設けられている。なお、カバー材８０、８０としては、断面略コ字状のものだけに限らず、図１０に示すように、断面略Ｌ字状のものを用いるようにしても良い。
【００２７】
上記構成の緑化勾配屋根においては、植栽屋根材４・・を平瓦と同様に葺設することで緑化した勾配屋根部１に対して、天窓６１を設置していることから、設計の大幅な見直しを必要とすることなく、天窓６１を備え付けることができる。しかも、植栽屋根材４・・によって囲まれた屋根材非搭載部位６０に、天窓６１を設置していることから、天窓６１を取り囲むように植栽部分を配置させて、これらをうまく調和させた一体化したデザインとすることができ、見栄えを良好にすることができる。さらに、成長しても大きく伸び出ることのない苔を使用して緑化がなされており、しかも天窓６１を植栽屋根材４・・に対して隙間をあけて設置していることから、成長した植物によって天窓６１が覆い隠されるといったような不具合が生じることもない。これらのことから、天窓６１を弊害なく採用することができる。
【００２８】
また、屋根材非搭載部位６０における天窓６１と植栽屋根材４・・との隙間には、上記のような防水処理が施されているので、天窓６１周りから屋内への雨水の浸入、及び、屋根材非搭載部位６０を囲む植栽屋根材４・・下側への雨水の浸入を防止して、雨仕舞いを良好に維持することができる。
【００２９】
この発明は、上記実施形態に限定されるものではなく、この発明の範囲内で上記実施形態に多くの修正及び変更を加え得ることは勿論である。例えば、上記実施形態の緑化勾配屋根においては、棟を挟んだ一方の緑化された勾配屋根部に天窓を設置していたが、棟を挟んだ両方の勾配屋根部を緑化して、これら両方の勾配屋根部に天窓をそれぞれ設置するようにしても良い。また、この発明の緑化勾配屋根は、切妻屋根に限られるものではなく、例えば寄棟屋根であっても良い。
【図面の簡単な説明】
【００３０】
【図１】この発明の一実施形態に係る緑化勾配屋根の斜視図である。
【図２】緑化勾配屋根の平面図である。
【図３】植栽屋根材の分解斜視図である。
【図４】植栽屋根材の斜視図である。
【図５】一方の勾配屋根部における植栽屋根材の葺設状態を示す縦断面図である。
【図６】天窓付近の平面図である。
【図７】天窓の水上側の防水処理を示す縦断面図である。
【図８】天窓の水下側の防水処理を示す縦断面図である。
【図９】天窓の端部側の防水処理を示す縦断面図である。
【図１０】天窓の端部側の他の防水処理を示す縦断面図である。
【符号の説明】
【００３１】
１・・勾配屋根部、４・・植栽屋根材、２０・・鋼板下地材、２１・・植栽マット（苔マット）、６０・・屋根材非搭載部位、６１・・天窓、８０・・カバー材、８１・・溝部
【図１】
2010053538.tif 000003
【図２】
2010053538.tif 000004
【図３】
2010053538.tif 000005
【図４】
2010053538.tif 000006
【図５】
2010053538.tif 000007
【図６】
2010053538.tif 000008
【図７】
2010053538.tif 000009
【図８】
2010053538.tif 000010
【図９】
2010053538.tif 000011
【図１０】
2010053538.tif 000012